(57)【要約】【課題】囲碁、将棋などのマス目付きゲーム盤はマス目の数が決められ、数も多いのでゲーム盤の面積が大きく、収納や携帯に不便であった。【解決手段】本発明は上記の問題を解決するために、４片以上に分割した部分盤を表面側に折り曲げる各２片の側面を合成樹脂含浸布を接着して連結するとともに、この繋ぎ目をマス目の罫線と合わせることにより面積が略４分の１となり、繋ぎ目の間隔も目立たなくなる。  また、分割した部分盤をすべて側面で連結すれば、６つ折り盤でも表裏両面に異なる数のマス目を配することができる。  さらに、各部分盤を薄板の４辺にゲーム駒や石を入れた駒台や石入れの高さの２分の１以上の高さの枠を有する箱体とし、裏側に折り曲げて合わさる各形状を各同一とすることにより、駒台や石入れと共に駒や石を収納して1セットとすることが出来、収納や携帯もさらに便利になるのである。【選択図】  図３
2019092909.tif 000002
【特許請求の範囲】
【請求項１】
表面に多数のマス目を有する囲碁盤や将棋盤などのゲーム盤において、４片以上に分割した部分盤を表面側に折り曲げる各２片の側面に合成樹脂含浸布を接着して連結したことを特徴とするゲーム盤。
【請求項２】
マス目を有する表面側に折り曲げる部分盤の繋ぎ目をマス目の罫線と合わせたことを特徴とする請求項１のゲーム盤。
【請求項３】
２分割した後、中央部の幅の半分以下の幅で両端から分割して表面側に折り曲げ、すべての折り曲げる部分盤側面を合成樹脂含浸布で接着連結して６つ折りとした請求項１または２のゲーム盤。
【請求項４】
各部分盤を２〜１０ｍｍの薄板の４辺にゲーム駒や石を入れた駒台や石入れの高さの２分の１以上の高さの枠を有する箱体とし、裏側に折り曲げて、駒台や石入れと共に駒や石の収納部を構成した請求項１または請求項２のゲーム盤。
【発明の詳細な説明】
【技術分野】
【０００１】
本発明は、囲碁、将棋などのマス目付きゲーム盤に関する。
【背景技術】
【０００２】
囲碁、将棋などのマス目付きゲーム盤はマス目の大きさや数が決められ、数も多いのでゲーム盤の面積が大きく、収納や携帯に不便であった。
【０００３】
そのため、裏面に蝶番をつけた二つ折りのゲーム盤が市販されているが、二つ折りではもう一つの辺が長いままで、十分ではない。
【０００４】
特許文献１、２では４分割した板を蝶番で連結したゲーム盤の例が開示されているが、二つ折りでは蝶番を使ってもマス目の盤面はぴったり合わさるが、３，４枚目は表面に折り曲げるための蝶番を板の側面につける必要があるため、合わせ目の間隔が大きくなり、蝶番の中央のヒンジ部が表面に突き出る欠点があった。
【０００５】
特許文献３では４分割した板を揺動アームでスライドさせる例が開示されているが、構造が複雑で、板の側面に溝を設ける必要があるため、板厚が厚くなる欠点があった。
【０００６】
特許文献４では駒の収納部を形成した例が開示されているが、２分割のため一辺は長いままであり、蝶番の代わりに帆布を使っているが平織りの帆布は端面のほつれや耐久性に問題があった。また、収納部を後加工する作成方法も高価格となり実用的でなかった。
【先行技術文献】
【特許文献】
【０００７】
【特許文献１】実開昭４８−０１３１８１号公報
【特許文献２】実開昭６２−０５４７８３号公報
【特許文献３】特開２０１１−１８３２２７号公報
【特許文献４】登録実用第３１８９１９８号公報
【発明の概要】
【発明が解決しようとする課題】
【０００８】
以上に述べたように、従来の囲碁や将棋盤では二つ折りで面積を半減させるのが限度で、収納や携帯には不十分であったし、駒の収納部の構成も実用的でなかった。
また、４分割以上の例でも盤面の外観や機能を阻害するか、構造が複雑となり、実用的ではなかった。
【０００９】
本発明は、囲碁や将棋やリバーシなど、多くのマス目を有するゲーム盤を四つ折り以上に折りたたんで、収納や携帯に便利なゲーム盤を提供することを目的とする。
【００１０】
また、四つ折り以上の折れ線をマス目の罫線と一致させることにより、盤面の機能や美観を損なわない構造のゲーム盤を提供することも目的とする。
【００１１】
さらに、駒、石や駒台、石入れを収納できる安価なゲーム盤を提供することも目的とする。
【課題を解決するための手段】
【００１２】
本発明は上記目的を達成するために、４片以上に分割した部分盤を表面側に折り曲げる各２片の側面に、合成樹脂を含浸またはコーティングした布（以下樹脂含浸布と称する）を接着して連結することにより面積が略４分の１となり、マス目のある表面に突起がなく、繋ぎ目の間隔も小さくなるのである。  
【００１３】
また、表面側に折り曲げるつなぎ目をマス目の罫線と合わせることにより、マス目の外観も向上するのである。
【００１４】
なお、２分割した後、両端から中央部の幅の半分以下の幅で分割して表面側に折り曲げ、すべての折り曲げる部分盤の側面を樹脂含浸布で接着連結すれば６つ折りのゲーム盤ができる。この場合、表面、裏面のいずれかまたは両方にマス目を配することができるので、例えば両面に９×９マスと８×８マスを配すれば、将棋と９路盤囲碁、リバーシなど多くのゲーム盤として利用できる。
【００１５】
さらに、各部分盤を薄板の４辺にゲーム駒や石を入れた駒台や石入れの高さの２分の１以上の高さの枠を有する箱体とし、各同一形状の箱体を裏側に折り曲げて合わせることにより、駒台や石入れと共に駒や石を収納することができるのである。
【発明の効果】
【００１６】
本発明によりゲーム盤がコンパクトになり、収納や携帯に便利なゲームセットを安価に提供できる。
【００１７】
また、折りたたみ式であっても表、裏両面に異なる数のマス目を配することもできるので、多種類のゲームに利用することができる。
【００１８】
さらに、箱型の部分盤で構成されたゲーム盤に収納可能な大きさの箱型の駒台や石入れに、駒や石を入れて収納すれば駒台や石入れを別に必要なくなり、１セットでプレーおよび収納ができるのである。
【図面の簡単な説明】
【００１９】
【図１】本発明の実施例１の４つ折り囲碁盤の斜視図
【図２】本発明の実施例２の６つ折り将棋盤の平面図
【図３】本発明の実施例２の６つ折り将棋盤の斜視図
【図４】本発明の実施例３の６つ折り将棋盤の斜視図
【図５】本発明の実施例４の駒収納将棋盤の表面の平面図
【図６】本発明の実施例４の駒収納将棋盤の裏面の平面図と断面図
【発明を実施するための形態】
【００２０】
図１に本発明の実施の形態におけるマス目付きゲーム盤の一例の囲碁盤の折りたたんだ状態の斜視図を示す。
４分割した部分盤（１）の裏面（３）側に折りたたむ個所の連結は蝶番（６）を使用できるが、表面（２）側に折りたたむ個所の連結には２つの部分盤の側面（５）に樹脂含浸布（７）を接着して連結する。
接着剤は木工用の酢酸ビニール樹脂エマルジョンやアクリル樹脂系、エポキシ樹脂系などが好ましい。
【００２１】
裏面側に折りたたむ個所の連結方法は蝶番（６）の代わりに樹脂含浸布（７）
を側面（４）に接着すれば表面（２）、裏面（３）とも突起がなくなるし、裏面に接着して連結すれば、表面の連結部の隙間が小さくなる。
また、表面側に折りたたむ個所の側面（５）と裏面全体を一枚の樹脂含浸布（７）で覆って接着した後、連結不要個所を切り開いてもよい。
【００２２】
樹脂含浸布（７）とはデニム生地や帆布などに水溶性の合成樹脂（酢酸ビニール樹脂、アクリル系樹脂、ウレタン系樹脂。エポキシ系樹脂、PVC樹脂など）を含浸しやすい濃度（酢ビ樹脂エマルジョンの場合で３０〜４０％）に薄めて塗布、乾燥させた物を称している。なお、市販の樹脂（PVC樹脂など）を合成樹脂繊維（ポリエステル繊維など）にコーティングしたテント生地やシートなどのうち、木材との接着性や屈曲性に優れたものも包含できる。
市販のデニム布や帆布だけでは端面がほつれやすく、強度や屈曲性が十分ではないが、樹脂を含浸させることによりほつれがなくなり、強度や屈曲性も向上し、木材との接着性も改善される。
特に、デニム布は横方向の強度が弱いが、樹脂含浸により大幅に改善されるので、
外観上からも推奨される。
【００２３】
部分盤（１）の材料は木材、プラスチック、紙などが使用できるが、合板、集成材、MDFなどを含む木質板が好ましい。一枚板では桧、たも、杉など適度の硬さがあり、マス目の印刷やレーザー加工に支障のない樹種はすべて使用できる。板反りの恐れがあれば幅の小さい板を突き合わせて接着した板を使用してもよい。
板の厚さは３ｍｍ〜３０ｍｍで、好ましくは５ｍｍ〜２０ｍｍが取り扱いやすい。
【００２４】
図３に本発明の実施の形態におけるマス目付きゲーム盤の一例の６つ折り将棋盤の折りたたんだ状態の斜視図を示す。
縦（または横）方向に２分割して裏面（３）側に折り曲げ、さらに横（または縦）方向に両端から２マス目分を分割して表面（２）側に折り曲げる。すべての折り曲げる部分盤（１）の側面を樹脂含浸布（７）で接着連結すれば６つ折りのゲーム盤となる。この例では表面（２）、裏面（３）のいずれかまたは両方にマス目（８）を配することができるので、例えば両面に９×９マスと８×８マスを配すれば、将棋と９路盤囲碁、リバーシなど多くのゲーム盤として利用できる。
【００２５】
また、図６に示すように部分盤（１）を薄板と木枠からなる箱型として、ゲーム用の石や駒を木箱に入れて収納すれば木箱は石入れや駒台（１０）として使用できる。
囲碁用の石入れは蓋つきにすれば、プレー時にあげ石（はま）入れとして使用できる。
薄板は２〜６ｍｍの合板や加工木質材が好ましい。
【００２６】
表面のマス目（８）はレーザー加工やシルクスクリーン印刷、インクジェット印刷、手書きなどで罫線（９）を描いて形成される。
【実施例１】
【００２７】
図１は本発明の実施例１の囲碁盤の斜視図である。
４分割した部分盤（１）の１，２枚目と３，４枚目の裏面（３）側に従来の２分割盤と同じ蝶番（６）を着けて折り曲げ、裏面（３）を合わせる。
この２セットの表面（２）を合わせた２，３枚目の側面（５）に、酢ビ樹脂接着剤（４５％樹脂含有）を１０％の水で希釈して含浸させたデニム布（７）を用い、これを酢ビ接着剤（５５％樹脂含有）で接着させて連結している。
部分盤（１）は厚さ１５ｍｍの杉板を使用している。
【００２８】
マス目（８）を形成する罫線（９）は組み立て後展開して、レーザー加工機で切断データーをデフォーカスして描いた。この場合、折り曲げ部は罫線を省いている。
【実施例２】
【００２９】
図２は本発明の実施例２の６つ折り将棋盤の平面図である。
図３は本発明の実施例２の６つ折り将棋盤の斜視図である。
将棋盤を２分割して、さらに端から２マス目と３マス目の間の罫線（９）部で３分割して、中央部２枚と端部４枚の部分盤（１）とする。
中央部盤に端部盤２枚を表面（２）を合わせた状態で長手の側面（５）に酢ビ接着剤含浸デニム布（７）を接着して連結した。この２セットを合わせた中央部盤の側面（４）に同じく酢ビ接着剤含浸デニム布（７）で連結して将棋盤とした。
【００３０】
部分盤（１）の材料は厚さ１０ｍｍの桧材で、中央部盤は２枚の板を側面で接着している。罫線（９）は連結部を除いてレーザー加工で印字した。
【００３１】
この実施例の将棋盤は裏面に連結部品が無いため、裏面に例えば８×８マスの囲碁用（９路盤）やリバーシ用、クロスワード用などのマス目を追加できる。
【実施例３】
【００３２】
図４は実施例３の６つ折り将棋盤の斜視図である。
実施例２と同じ部分盤（１）を図４に示す状態で、折り曲げる側面（５）と盤の裏面（３）のすべてに一枚の酢ビ接着剤含浸デニム布（７）を貼り付け接着した後、図の底面を除く、中央の折り曲げ部を切開して６個の部分盤（１）を連結する。デニム布（７）の端部は樹脂を含浸しているので、仕上げの切断をしても糸がほつれることはない。
【００３３】
デニム布（７）には商品名やイラストなどをアクリル絵の具やレーザー加工で描くことができる。
【実施例４】
【００３４】
図５は実施例４の４つ折り箱型将棋盤の表面（２）の平面図である。
図６は同じく実施例４の将棋盤の裏面（３）の平面図と断面図である。
４片に分割した部分盤（１）が厚さ４ｍｍの科合板の４辺に１０ｍｍ角の桧の木枠を接着した箱体から構成されている。裏（３）面で合わさる各部分盤（１）は各同一形状であり、折り曲げる部分の木枠どうしは酢ビ含浸デニム布（７）を接着して連結している。
２つの連結した箱体セットは開いたまま表面（２）側に折り曲げた状態で上下いずれかの木枠の側面どうしは酢ビ含浸デニム布（７）を接着して連結する。
各箱体セットの開閉部木枠には６ｍｍ径で、２８０ミリテラスの磁石（１１）を埋め込んでいる。
磁石（１１）を埋め込んだ木枠にもデニム布を貼れば、盤中央部のデニム布との高さが同じとなり、磁力も適当な強さとなる。
これに収納する駒入れ兼駒台（１０）は本体と同じ厚さの合板と木枠で作成し、大きさは小さいほうの箱体に収納可能な大きさに合わせている。
【産業上の利用可能性】
【００３５】
本発明のマス目付きゲーム盤は従来から親しまれている囲碁、将棋、連珠、リバーシ（オセロ）、チェスなどや、発明者が開発した算数パズル、数独（ナンプレ）などの数字パズル、クロスワードパズルなどのボードゲームにも用いることができる。また、折り曲げてコンパクトになるため、高齢者や年少者向けの大きな駒のゲーム用のマス目付きゲーム盤にも応用できる。
特に、箱型部分盤タイプは石と石入れや駒と駒台も収納できるので、家庭での収納や旅行、友人宅への訪問の携帯などにもきわめて便利である。
【符号の説明】
【００３６】
１    分割された部分盤
２    ゲーム盤の表面
３    ゲーム盤の裏面
４    裏面側に折り曲げる部分盤の側面
５    表面側に折り曲げる部分盤の側面
６    蝶番
７    合成樹脂含浸布
８    ゲーム盤のマス目
９    ゲーム盤の罫線
１０    石入れまたは駒台
１ 1    磁石
【図１】
2019092909.tif 000003
【図２】
2019092909.tif 000004
【図３】
2019092909.tif 000005
【図４】
2019092909.tif 000006
【図５】
2019092909.tif 000007
【図６】
2019092909.tif 000008